(57)【要約】【課題】海苔とおにぎりを分離して密封した包装体であって、開封作業はさわやかにスムースなおにぎり包装体を提供するのが課題である。【解決手段】海苔２とおにぎり３を密封包装する方法として、直接フィルムを熱シール溶着しない密封方法の発明にある。フィルム同士の表面を圧力密着させ、空気流通を防止する面圧力密着隔室８を発明。さらに空気流通防止効果を高めた曲面圧力密着帯９を発明し構成したことにある。密封が出来ているのに開封作業は大変スムースな角型おにぎり包装体１である。おにぎり２は包装体下部のフィルムを整形処理し固定してあるので、包装体内部で移動や荷崩がしない。１枚だけのフィルムにて構成してある開封つまみ７は、つまむ時にいらいらを感じる事が無く、さわやかにスムース開封出来る角型おにぎり包装体１。【選択図】図１
2007297132.tif 000002
【特許請求の範囲】
【請求項１】
海苔２を２枚１対の内フィルム２１と外フィルム２３との間に収納した海苔収納シート体２７にて、おにぎり３を二つ折りに挟み重ね合わせた海苔収納シート体２７の左右余丁部、上部余丁部を熱シール等密封包装し、食する時には海苔２とおにぎり３を合体させるようにした角型おにぎり包装体１において、包装体内部と包装体外部との空気流通を防止する密封方法として、熱シール等により直接フィルムを溶着する方法でなく、非熱着での密封方法の面圧力密着隔室８を構成した事にある、重ね合わせた海苔収納シート体２７の上部余丁部の内フィルム重なり末端部１２の周り３方で、点Ａ−Ｂ間、点Ｂ−Ｃ間、点Ｃ−Ｄ間を熱シールして取り囲んだ区域であり、熱シールは内フィルム重なり部１１には接しない、フィルムとフィルムの表面に圧力が加わることにより密着力が働き空気流通を防止させる隔離された区域であるによって面圧力密着隔室８と呼び、面圧力密着隔室８を構成した角型おにぎり包装体１。
【請求項２】
前請求項１の面圧力密着隔室８区域内を横断する形態で、帯状に海苔収納シート体フィルムに折り曲げをつくり密着度をさらに高めて、空気の流通を防止した密着帯を構成する、帯状の折り曲げは海苔収納シート体の短辺全幅にして、熱シール等の処理は点Ｅ−Ｆ間と点Ｇ−Ｈ間だけを熱整形処理し、面圧力密着隔室８内の帯状部分には熱処理しない、フィルムの合わさった曲面に圧力が加わることにより密着力が働き空気流通を防止させる曲面圧力の密着帯であるによって曲面圧力密着帯９と呼びその曲面の形態を山波型とした曲面圧力密着帯３１を構成した角型おにぎり包装体１。
【請求項３】
前請求項２の曲面圧力密着帯９での曲面の形態をＵ字型とした曲面圧力密着帯３２を構成した角型おにぎり包装体１。
【発明の詳細な説明】
【技術分野】
【０００１】本発明は、内フィルムと外フィルムとの間に海苔を収納した海苔収納シート体にて、おにぎりを二つ折りに挟み、重ね合わせたシート体余丁部を熱シール等包装し、食するときには包装体を取り去り海苔とおにぎりを合体させる角型おにぎり包装体に関するものである。
【背景技術】
【０００２】図１６で示す通り、２枚一対の内フィルム１２１と外フィルム１２３との間に海苔１０２を挟み収納した海苔収納シート体１０１を使用して、三角形おにぎり１０３の形にそって包み込んだ三角型おにぎり包装体は公知である。【０００３】図１７で示す通り、２枚一対の内フィルム１２１と外フィルム１２３との間に海苔１０２を挟み収納した海苔収納シート体１０１を使用して、おにぎり三角形１０３を挟み二つ折りにして重ね合わせ、海苔収納シート体１０１の左右余丁部、上部余丁部を熱シールして包装するタイプの角型おにぎり包装体も公知である。【０００４】図１８で示す包装体は、海苔収納シート体１０１のサイド余丁１０４と底面部１０５を袋状に熱シールした後、開口部の全幅を熱シールをして閉じた場合である。点Ｊ−Ｋ−Ｌ−Ｍ−Ｎ−Ｏ間である。内フィルムの重なり部１１１の点Ｋ−Ｎ間は外フィルムと共に熱シールされている、つまり内部と外気の流通が無い１０８閉じかたである。利点は外気の流通は完全にストップされている事である。【０００５】ただし、開封工程で包装体を左右に引き抜く作業では、その熱シールした部分ががっちり溶着してあるので、つながった部分は力をこめて引き千切らなくてはならない。不要な力が必要であり、又、無理をすると海苔１０２が千切たり、おにぎり１０３がこわれてしまう事がある包装体である。最終的には片側包装体をひねりあげなくてはならず、動作が不自然な包装体となる。【０００６】図１９で示す包装体は、海苔収納シート体１０１のサイド余丁１０４と底面部１０５を袋状にしてから、開口部の部分だけを熱シールして閉じた場合である。内フィルムの重なっていない余丁部で点Ｊ−Ｋ間と点Ｎ−Ｏ間だけを熱シールしてある。内フィルムの重なり部１１１の点Ｋ−Ｍ間は熱シールしてない。つまり内部と外気の流通がある１０９閉じかたである。利点は、内フィルム重なり部１１１を熱シールによる溶着がしてないので、開封帯１０６を取り去った後の左包装体１１３と右包装体１１４の左右への引き抜きは大変スムースな包装体となる。【０００７】ただし、密封が出来ていないので当然内部と外気の流通が有る１０９閉じ方なので、海苔１０２が湿ってしまう欠点、そして、異物やゴミの混入してしまう欠点がある。又熱シールしてない部分が広いので、口が部分的に開いてしまうので安心感が得られない包装体である。【０００８】図２０で示す包装体は現在コンビニ等にて流通している角型おにぎり包装体である。図１８と図１９の包装体の欠点の解決策として、内フィルムの重なっていない余丁部の点Ｊ−Ｋ間と点Ｎ−Ｏ間及び、内フィルムの重なり部１１１の一部分である点Ｋ−Ｌ間と点Ｍ−Ｎ間を合わせて熱シールして開口部を閉じた場合である。しかし、外気の流通が有る１０９閉じ方である。良い点は、開封作業で片方包装体をひねり上げることの不自然なことが少しやわらげられる事だけである。【０００９】ただし、内フィルム重なり部の全部ではなく一部分であっても熱シールしてあることに変わりなく、開封作業で引き千切れないことは同じである。図２１で示す通り、部分的ではあるがフィルム重なり部１１１が熱シールしてあるので溶着してつながっている、その箇所が千切れない部分１１５となってしまう、その千切れない部分１１を支点として、分割された包装体の半分右包装体１１４をひねり上げなければならず開封作業のさわやかさに不都合が生じることはそのままである。【００１０】さらに、熱シールされてない部分もあるので内部と外気の流通がある１０９閉じ方なので、海苔が湿ってしまう事、異物の混入してしまう欠点は残されたままの満足できない包装体であると言える。【００１１】図１８で示す通り、フィルムが複数枚重なっている、場合であるが、開封つまみ１０７は薄くて識別選別がしにくい。その小さな箇所の開封つまみ１０７を的確に速やかに摘みめくり出すのは年齢等にかかわらず結構難解な事である。いらいらさせられる事が多々ある包装体である。【００１２】
【特許文献】特開２００５−１４５５０７（Ｐ２００５−１４５５０７Ａ）  特許第３０７６５６０号（Ｐ３０７６５６０）
【発明の開示】
【発明が解決しようとする課題】
【００１３】包装状態での機能要求として、（１）おにぎりと海苔が分離されている事、（２）外気より完全に密封されている事が必要である。【００１４】開封工程での機能要求として、（１）開封手順が外部より一目瞭然で認知できること、（２）各作業部位が摘みやすい形態である事、（３）誰が開封しても無理な力をかけずにさわやかな開封作業である事、が要求される５条件である。【００１５】背景技術で記述した通り、完全密封できていることと、さわやかスムースな開封であることは相反する要求である。この矛盾する問題を解決した角型おにぎり包装体の密封と開封方法、その密封開封構造を提供するのが課題である。
【課題を解決するための手段】
【００１６】この発明は前記５つの課題を解消する為に考案されたものであり、ここでは２つの発明を開示する。【００１７】第一の発明は新たな密封方法として、面圧力密着隔室８を発明し空気の流通を防止させた事にある。つまり、フィルムとフィルム表面同士に圧力が作用することにより、フィルム同士が密着する力を利用して空気の流通を防止させた事である。この区域内には熱シールはしない。面圧力密着隔室８とはつまり内フィルム重なり末端部１２を取り囲む区域であって、点Ａ−Ｂ間点Ｂ−Ｃ間点Ｃ−Ｄ間を熱シールした区域である。【００１８】第二の発明は、曲面圧力密着帯９を発明し空気の流通をさらに確実に防止したことである。面圧力密着隔室８のフィルムの重なり部１１の密着度を高め空気の流通を防止させた。面圧力密着隔室８内に海苔収納シート体の短辺方向に帯状で山波またはＵ字型等に曲面の折り曲げ帯を形成し、曲面圧力密着帯９を構成して空気の流通防止度を高め解決した。【００１９】表面圧力を解除するには、図３で示す通り、開封帯６を取り払ってやればよい。つまりフィルムとフィルムの面圧力が取り去られフリーの状態となる。圧力はなくなるので開封作業において左側おにぎり包装体１７と右側おにぎり包装体１８の半分に分割された包装体を外側への引き抜きに余分な力をかけないでスムースに引き抜くことが出来るようにした。【００２０】きわめて摘まみやすい１枚フィルムだけで出来た開封つまみ７を構成する為、海苔収納シート体３１（又は、海苔収納シート体３２）にておにぎり３を挟んで二つ折りにする時、開封開始つまみ７のある外フィルム短辺は開封つまみ７のない外フィルム短辺より、開封つまみ７の長さ２９だけ上方へせり出して合わせ熱シールする。この実施例においては図７及び図９で示す通り、開封つまみ７箇所は前項面圧力密着隔室８を構成する目的で、内フィルムはあらかじめ短く裁断されている、又は、あらかじめ切欠されているので開封つまみ７の部分はフィルム１枚だけにて構成される。
【発明の効果】
【００２１】本発明によれば、海苔とおにぎりを確実に密封することが出来ているのに、開封作業は大変さわやかスムースである。【００２２】図１に基づいて説明する。海苔２とおにぎり３とが完全密封されている角型おにぎり包装体１の概観斜視図である。角型おにぎり包装体１の前面、後面また上部余丁部にも十分な表示スペースが確保されていて、印刷やラベルの貼り付けにより店頭でのアピール効果は抜群である。現在の食品表示は項目が多くラベルは大判化されているが、大判の食品表示ラベルを貼り付けについても十分なスペースが確保されている。【００２３】包装体下部両サイド余丁部４と角（つの）５を折り曲げ加工し成型処理してあるので、おにぎりが包装体内でしっかりと固定され搬送中や陳列時においても中身が移動することなく型崩れが防止できる、陳列時の安定性も確保される。【００２４】図２に基づいて説明する。開封つまみ７をつまみ引き下げた状態である。開封つまみ７はフィルム１枚だけで構成されているので、年少者、高齢者、急いでいるあなたにも誰にも認知識別できて、迷わず摘まみやすい。ユニバーサルデザインの角型おにぎり包装体１である。【００２５】図３に基づいて説明する。開封帯６を取り去った図である、前面外フィルムの取り去り部１４および後面外フィルムの取り去り部１５の両方が開封帯を取り去ることによりにより取り払われているので、左側包装体１７と右側包装体１８は完全に分離分割されている。【００２６】図４に基づいて説明する。右側包装体１８を引き抜いた図である、接着された熱シール部は取り払われているので左右への引抜作業が大変スムースである。力を入れて包装体の一部を引き千切ったり、あらぬ方向へひねり上げたりする必要がない。なぜなら、非熱着非接着での密封方法である面圧力密着隔室８、および曲面圧力密着帯９を構成して密封をしているので、開封帯を取り去った時点で左右の包装体のフィルムはフリーの状態となってしまうからである。【００２７】図５に基づいて説明する。左側包装体１７も引き抜き取り去った状態である、完全な海苔巻きおにぎり１６となっている。海苔が全体に巻かれているので、食している途中で横からご飯がはみ出してくる心配もなく安心してかじりつき食する事が出来る。
【発明を実施するため最良の形態】
【００２８】以下本発明の実施の形態について説明する、図６と図８に示す通り、おにぎり包装体の内フィルム２１（又は内フィルム２２）は２枚一対である、２枚一対の内フィルムは外フィルム２３の短辺略中央の開封帯の位置する箇所において内フィルムと内フィルムが重なり合っている。内フィルム２１の場合内フィルムはあらかじめ外フィルムより必要分２５だけ短く裁断されている。内フィルム２２の場合外フィルムと同じ長さであるが内フィルムの重なり末端１２があらかじめ切欠されて切欠部２４となっている。内フィルム２１又は内フィルム２２のどちらを採用しても本発明の面圧力密着隔室８を構成することが出来る。
【００２９】図６と図８に示す通り、外フィルム２３は長方形である。短辺略中央に外フィルムを２分割する為の分断手段である開封帯６を有する。外フィルムの裏面に１本又は２本の細幅のカットテープ２０が粘着されている。開封つまみ７の引き裂きを容易にする為に外フィルム２３の開封つまみ７の左右に一対の切込み１９を設けてある。
【００３０】図７と図９に示す通り、海苔収納シート体２７（又は海苔収納シート体２８）の構成を示している。この海苔収納シート体２７（又は海苔収納シート体２８）は、内フィルム２１（又は内フィルム２２）と外フィルム２３が合わせてあり、その中間にシート状海苔２を挟みこんだ３層構成となる。内フィルムの重なり部１１を除いた海苔収納シート体２７（又は海苔収納シート体２８）の周囲余丁部を熱シール等して角型のシート状海苔を収納する。ここでの熱シールとは海苔２を収納するだけの熱シールであるので、弱い熱シールでも良い。
【００３１】図７、図９に示す通り、おにぎり３を横からみると上部は薄くなっている。おにぎり下部は角（つの）の整形処理の目的において直方体になっている。おにぎりを前部から見てこの図の場合略４角形となっているが、上部の形は角型、丸型、あるいは略３角形でも形は選ばない。
【００３２】図７、に示す通り、前項の海苔収納シート体２７（又は海苔収納シート体２８）を用いて四角形のおにぎり２の包装工程では、おにぎり底面を海苔収納シート体２７（又は海苔収納シート体２８）の短辺方向の中央に位置させる。長辺方向においては開封つまみの長さ２６を差し引いた長辺の中央に位置させる。
【００３３】図１０に示す通り、おにぎり３の底辺以外の前後の海苔収納シート体を９０度上方へ立ち上げて、おにぎり３の前面と後面を覆う二つ折りにする。本発明においては、開封つまみ７の有る前面フィルムを後面フィルムより開封つまみの長さ２９だけ上方へせり出して合わせる。
【００３４】つぎに図１１に示す通り、前後の海苔収納シート体２７の余丁部同士を合わせシート体の左側余丁部、右側余丁部、上部余丁部を平面的に熱シールする。この本発明においては上部余丁部に面圧力密着隔室８が構成される。内フィルム重なり末端部１２の周囲で点Ａ−Ｂ間、点Ｂ−Ｃ間、点Ｃ−Ｄ間を熱シールした区域である。内フィルム重なり部１１は熱シールをしてはいけない。
【００３５】図１２に示す通り、曲面圧力密着帯９の整形処理について示した図である。曲面圧力密着帯９の整形をするのであるが、この実施例においてはフィルムを帯状で一定の形にしたまま熱加工処理をして曲面圧力密着帯９を形成す。熱加工処理をするのは余丁部の点Ｅ−Ｆ間と点Ｇ−Ｈ間だけである。内フィルム重なり幅１１の点Ｆ−Ｇ間はまったく熱加工をしてはいけない。両サイド余丁部を熱加工することだけにより面圧力密着隔室８の曲面圧力密着帯９点Ｆ−Ｇ間の形状は成維持される。
【００３６】図１４に示す通り、曲面圧力密着帯９を山波型に形成して曲面圧力密着帯３１を構成している。図では山波は１つで示しているが２つ３つと複数でも良い。
【００３７】図１５に示す通り、曲面圧力密着帯９をＵ字型に形成して曲面圧力密着帯３２を構成している。形状は多種あるが、要するに、フィルム重なり部１１に密着度を高める曲面帯が形成されれば良いのである、フィルムの厚さにより選べば良い。
【００３８】図１１で示した通り、おにぎり底面部１３にはおにぎりの厚みがある為必然的にいわゆる角（つの）５が整形されてしまう。おにぎり底面部１３に生じたままの包装体の形態では、立てて棚に並べて陳列することが出来ないので、安定性の良い形態に変形させる必要がある。
【００３９】図１３に基づいて説明する、サイド余丁折り曲げ板３５と角（つの）折り曲げ板３６の間に包装体を通過させることだけで、サイド余丁と角（つの）の形成処理が出来る。先ずサイド余丁４を略９０度後方へ折り曲げる工程３８と、次に角（つの）５部分を上方へ略９０度折り曲げる工程３９で完了する。ここでの折り曲げ整形処理には熱シールは不要である。
【図面の簡単な説明】
【００４０】
【図１】本発明の角型おにぎり包装体を示す概観斜視図
【図２】本発明の角型おにぎり包装体に於ける開封つまみ引き下げを示す説明図
【図３】本発明の角型おにぎり包装体に於ける開封帯の取り去りを示す説明図
【図４】本発明の角型おにぎり包装体に於ける右半分の包装体引き抜きを示す説明図
【図５】本発明の海苔巻きおにぎりを示す概観斜視図
【図６】本発明に於ける構成品（１）を示す斜視図
【図７】本発明に於ける内フィルム短サイズ式シート体へおにぎりの載せ方を示す斜視図
【図８】本発明に於ける構成品（２）を示す斜視図
【図９】本発明に於ける内フィルム切欠式シート体へおにぎりの載せ方を示す斜視図
【図１０】本発明の海苔収納シート体へおにぎりを乗せて二つ折りを示す説明図
【図１１】本発明の面圧力密着隔室の熱シールを示す説明図
【図１２】本発明の曲面圧力密着帯の熱シールを示す説明図
【図１３】本発明の角（つの）とシート体両側余丁の形成処理を示す説明図
【図１４】本発明に於ける山波型曲面圧力密着帯の要部を拡大した斜視図
【図１５】本発明に於けるＵ字型曲面圧力密着帯の要部を拡大した斜視図
【図１６】従来の包装体構成品を示す説明図
【図１７】従来のシート体におにぎりを載せて二つ折りを示す説明図
【図１８】従来のおにぎり包装体▲１▼の斜視図
【図１９】従来のおにぎり包装体▲２▼の斜視図
【図２０】従来のおにぎり包装体▲３▼の斜視図
【図２１】従来のおにぎり包装体▲３▼に於いて片側右包装体のヒネリ上げを示す説明図
【符号の説明】
【００４１】１    角型おにぎり包装体
２    海苔
３    おにぎり
４    サイド余丁部
５    角（つの）
６    開封帯
７    開封つまみ
８    面圧力密着隔室
９    曲面圧力密着帯
１０  熱シール
１１  内フィルム重なり部
１２  内フィルム重なり末端
１３  おにぎり底面部
１４  前面外フィルムの取り去り部
１５  後面外フィルムの取り去り部
１６  海苔巻きおにぎり
１７  左側おにぎり包装体
１８  右側おにぎり包装体
１９  切り込み
２０  カットテープ
２１  内フィルム  短サイズ式
２２  内フィルム  切欠式
２３  外フィルム
２４  短サイズ長さ
２５  切欠部長さ
２６  切欠部
２７  海苔収納シート体短サイズ式
２８  海苔収納シート体切欠式
２９  開封つまみ長さ
３０
３１  山波形  曲面圧力密着帯
３２  Ｕ字型  曲面圧力密着帯
３３  点  Ａ、Ｂ、Ｃ、Ｄ、
３４  点  Ｅ、Ｆ、Ｇ、Ｈ、
３５  サイド余丁折り曲げ板
３６  角（つの）折り曲げ板
３７  処理前包装体
３８  サイド余丁折り曲げ工程
３９  角（つの）の折り曲げ工程
４０  完成角型おにぎり包装体１
１０１  従来の海苔収納シート体
１０２  海苔
１０３  三角おにぎり
１０４  サイド余丁部
１０５  おにぎり底面部
１０６  開封帯
１０７  開封つまみ
１０８  空気の流通が無い
１０９  空気の流通が有る
１１０  熱シール
１１１  内フィルム重なり部
１１２  内フィルム重なり末端
１１３  点  Ｊ．Ｋ．Ｌ．Ｍ．Ｎ．Ｏ
１１３  左側おにぎり包装体
１１４  右側おにぎり包装体
１１５  千切れない部分
１１６
１１７
１１８  従来のおにぎり包装体１
１１９  従来のおにぎり包装体２
１２０  従来のおにぎり包装体３
１２１  内フィルム
１２２
１２３  外フィルム
【図１】
2007297132.tif 000003
【図２】
2007297132.tif 000004
【図３】
2007297132.tif 000005
【図４】
2007297132.tif 000006
【図５】
2007297132.tif 000007
【図６】
2007297132.tif 000008
【図７】
2007297132.tif 000009
【図８】
2007297132.tif 000010
【図９】
2007297132.tif 000011
【図１０】
2007297132.tif 000012
【図１１】
2007297132.tif 000013
【図１２】
2007297132.tif 000014
【図１３】
2007297132.tif 000015
【図１４】
2007297132.tif 000016
【図１５】
2007297132.tif 000017
【図１６】
2007297132.tif 000018
【図１７】
2007297132.tif 000019
【図１８】
2007297132.tif 000020
【図１９】
2007297132.tif 000021
【図２０】
2007297132.tif 000022
【図２１】
2007297132.tif 000023